【手続補正書】
【提出日】平成18年6月13日(2006.6.13)
【手続補正１】
【補正対象書類名】明細書
【補正対象項目名】特許請求の範囲
【補正方法】変更
【補正の内容】
【特許請求の範囲】
【請求項１】
次式Ｉ
【化１】
2002518493.tif 000001
〔式中、ｎが１である場合、Ｒ1は、ナフチル基、フェナントリル基、アントリル基、５
，６，７，８−テトラヒドロ−２−ナフチル基、チエニル基、ベンゾ［ｂ］チエニル基、ナフト［２，３−ｂ］チエニル基、チアントレニル基、フリル基、ベンゾフリル基、イソベンゾフリル基、ジベンゾフリル基、キサントエニル基、フェノキサチイニル基、ピロリル基、イミダゾリル基、ピラゾリル基、ピラジニル基、ピリミジニル基、ピリダジニル基、インドリジニル基、イソインドリル基、インドリル基、インダゾリル基、プリニル基、キノリジニル基、イソキノリル基、キノリル基、フタラジニル基、ナフチリジニル基、キノキサリニル基、キナゾリニル基、シンノリニル基、プテリジニル基、カルバゾリル基、β−カルボリニル基、フェナントリジニル基、アクリジニル基、ペリミジニル基、フェナントロリニル基、フェナジニル基、イソチアゾリル基、フェノチアジニル基、イソクサゾリル基、フラザニル基、ビフェニル基、ターフェニル基、フルオレニル基またはフェノキサジニル基であって、それぞれ未置換であるか、またはフッ素原子、ヒドロキシ基、炭素原子数１ないし１８のアルキル基、炭素原子数１ないし１８のアルコキシ基、炭素原子数１ないし１８のアルキルチオ基、ジ（炭素原子数１ないし４のアルキル）アミノ基、フェニル基、ベンジル基、ベンゾイル基もしくはベンゾイルオキシ基により置換されたものを
表わすか、またはＲ1は次式ＩＩまたはＩＩＩ
【化２】
2002518493.tif 000002
で表される基を表わし、
ｎが２である場合、Ｒ1は、それぞれ未置換であるか、または炭素原子数１ないし４のア
ルキル基もしくはフッ素原子により置換されたフェニレン基またはナフチレン基を表わすか、あるいは−Ｒ6−Ｘ−Ｒ7−を表わし、
Ｒ2、Ｒ3、Ｒ4およびＲ5は、それぞれ互いに独立して水素原子、フッ素原子、ヒドロキシ基、炭素原子数１ないし２５のアルキル基、炭素原子数７ないし９のフェニルアルキル基、未置換の、もしくは炭素原子数１ないし４のアルキル−置換フェニル基、未置換の、もしくは炭素原子数１ないし４のアルキル−置換炭素原子数５ないし８のシクロアルキル基；炭素原子数１ないし１８のアルコキシ基、炭素原子数１ないし１８のアルキルチオ基、炭素原子数１ないし４のアルキルアミノ基、ジ（炭素原子数１ないし４のアルキル）アミノ基、炭素原子数１ないし２５のアルカノイルオキシ基、炭素原子数１ないし２５のアルカノイルアミノ基；酸素原子、イオウ原子、または＞Ｎ−Ｒ8により中断された炭素原子
数３ないし２５のアルカノイルオキシ基；炭素原子数６ないし９のシクロアルキルカルボニルオキシ基、ベンゾイルオキシ基もしくは炭素原子数１ないし１２のアルキル−置換ベンゾイルオキシ基を表わすか、または更に、基Ｒ2およびＲ3もしくは基Ｒ3およびＲ4もしくは基Ｒ4およびＲ5は、それらが結合している炭素原子と一緒になって、ベンゾ環を形成し、Ｒ4は付加的に−（ＣＨ2）p−ＣＯＲ9または−（ＣＨ2）qＯＨを表わすか、またはＲ3およびＲ5が水素原子を表わす場合、Ｒ4は付加的に次式ＩＶ
【化３】
2002518493.tif 000003
（式中、Ｒ1は、ｎが１である場合について上記に定義された通りである。）で表される
基を表わし、
Ｒ6およびＲ7は、それぞれ互いに独立して、それぞれ未置換であるか、または炭素原子数１ないし４のアルキル基により置換されたフェニレン基またはナフチレン基を表わし、
Ｒ8は、炭素原子数１ないし８のアルキル基を表し、
Ｒ9はヒドロキシ基、
【化４】
2002518493.tif 000004
炭素原子数１ないし１８のアルコキシ基または
【化５】
2002518493.tif 000005
を表し、
Ｒ10およびＲ11は、それぞれ互いに独立して、水素原子、ＣＦ3、炭素原子数１ないし１
２のアルキル基またはフェニル基を表わすか、あるいはＲ10およびＲ11は、それらが結合している炭素原子と一緒になって、未置換の、もしくは炭素原子数１ないし４のアルキル基１ないし３個により置換された炭素原子数５ないし８のシクロアルキリデン環を形成し；
Ｒ12およびＲ13は、それぞれ互いに独立して水素原子または炭素原子数１ないし１８のアルキル基を表し、
Ｒ14は水素原子または炭素原子数１ないし１８のアルキル基を表わし、
Ｒ19、Ｒ20、Ｒ21、Ｒ22およびＲ23は、それぞれ互いに独立して水素原子、フッ素原子、ヒドロキシ基、炭素原子数１ないし２５のアルキル基；酸素原子、イオウ原子または＞Ｎ−Ｒ8により中断された炭素原子数２ないし２５のアルキル基；炭素原子数１ないし２５
のアルコキシ基；酸素原子、イオウ原子または＞Ｎ−Ｒ8により中断された炭素原子数２
ないし２５のアルコキシ基；炭素原子数１ないし２５のアルキルチオ基、炭素原子数７ないし９のフェニルアルキル基、炭素原子数７ないし９のフェニルアルコキシ基、未置換の、もしくは炭素原子数１ないし４のアルキル−置換フェニル基；未置換の、もしくは炭素原子数１ないし４のアルキル−置換フェノキシ基；未置換の、もしくは炭素原子数１ないし４のアルキル−置換炭素原子数５ないし８のシクロアルキル基；未置換の、もしくは炭素原子数１ないし４のアルキル−置換炭素原子数５ないし８のシクロアルコキシ基；ジ（炭素原子数１ないし４のアルキル）アミノ基、炭素原子数１ないし２５のアルカノイル基；酸素原子、イオウ原子または＞Ｎ−Ｒ8により中断された炭素原子数３ないし２５のア
ルカノイル基；炭素原子数１ないし２５のアルカノイルオキシ基；酸素原子、イオウ原子または＞Ｎ−Ｒ8により中断された炭素原子数３ないし２５のアルカノイルオキシ基；炭
素原子数１ないし２５のアルカノイルアミノ基、炭素原子数６ないし９のシクロアルキルカルボニル基、炭素原子数６ないし９のシクロアルキルカルボニルオキシ基、ベンゾイル基または炭素原子数１ないし１２のアルキル−置換ベンゾイル基；ベンゾイルオキシ基または炭素原子数１ないし１２のアルキル−置換ベンゾイルオキシ基；
【化６】
2002518493.tif 000006
を表わし、
Ｒ24は、水素原子、炭素原子数１ないし４のアルキル基、または未置換の、もしくは炭素原子数１ないし４のアルキル−置換フェニル基を表し、
Ｒ25およびＲ26は、水素原子、炭素原子数１ないし４のアルキル基またはフェニル基を表わすが、ただし基Ｒ25およびＲ26の少なくとも一方は水素原子を表わし、
Ｒ27およびＲ28は、それぞれ互いに独立して、水素原子、炭素原子数１ないし４のアルキル基またはフェニル基を表わし、
Ｒ29は水素原子または炭素原子数１ないし４のアルキル基を表わし、
Ｒ30は水素原子、未置換の、もしくは炭素原子数１ないし４のアルキル−置換フェニル基；炭素原子数１ないし２５のアルキル基；酸素原子、イオウ原子または＞Ｎ−Ｒ8により
中断された炭素原子数２ないし２５のアルキル基；未置換の、もしくはフェニル基において炭素原子数１ないし４のアルキル基１ないし３個により置換された炭素原子数７ないし
９のフェニルアルキル基；酸素原子、イオウ原子または＞Ｎ−Ｒ8により中断され、未置
換の、もしくはフェニル基において炭素原子数１ないし４のアルキル基１ないし３個により置換された炭素原子数７ないし２５のフェニルアルキル基を表わし、
Ｒ31は水素原子または炭素原子数１ないし４のアルキル基を表わし、
Ｒ32は水素原子、炭素原子数１ないし２５のアルカノイル基；酸素原子、イオウ原子または＞Ｎ−Ｒ8により中断された炭素原子数３ないし２５のアルカノイル基；ジ（炭素原子
数１ないし６のアルキル）ホスホネート基により置換された炭素原子数２ないし２５のアルカノイル基；炭素原子数６ないし９のシクロアルキルカルボニル基、テノイル基、フロイル基、ベンゾイル基もしくは炭素原子数１ないし１２のアルキル−置換ベンゾイル基；
【化７】
2002518493.tif 000007
を表わし、
Ｒ33は水素原子または炭素原子数１ないし８のアルキル基を表わし；
Ｒ34は直接結合、炭素原子数１ないし１８のアルキレン基；酸素原子、イオウ原子または＞Ｎ−Ｒ8により中断された炭素原子数２ないし１８のアルキレン基；炭素原子数２ない
し２０のアルキリデン基、炭素原子数７ないし２０のフェニルアルキリデン基、炭素原子数５ないし８のシクロアルキレン基、炭素原子数７ないし８のビシクロアルキレン基、未置換の、もしくは炭素原子数１ないし４のアルキル−置換フェニレン基、
【化８】
2002518493.tif 000008
を表わし、
Ｒ35はヒドロキシ基、
【化９】
2002518493.tif 000009
炭素原子数１ないし１８のアルコキシ基または
【化１０】
2002518493.tif 000010
を表わし、
Ｒ36は酸素原子、−ＮＨ−または
【化１１】
2002518493.tif 000011
を表わし、
Ｒ37は炭素原子数１ないし１８のアルキル基またはフェニル基を表わし、
Ｍはｒ価の金属カチオンを表わし、
Ｘは直接結合、酸素原子、イオウ原子または−ＮＲ14−を表わし、
ｎは１または２であり、
ｐは０、１または２であり、
ｑは１、２、３、４、５または６であり、
ｒは１、２または３であり、そして
ｓは０、１または２である。〕で表わされる化合物の製造方法であって、次式Ｖ
【化１２】
2002518493.tif 000012
〔式中、Ｒ1およびｎは上記に定義された通りであり、
Ｒ2、Ｒ3、Ｒ4'およびＲ5は、それぞれ互いに独立して水素原子、フッ素原子、ヒドロキ
シ基、炭素原子数１ないし２５のアルキル基、炭素原子数７ないし９のフェニルアルキル基、未置換の、もしくは炭素原子数１ないし４のアルキル−置換フェニル基、未置換の、もしくは炭素原子数１ないし４のアルキル−置換炭素原子数５ないし８のシクロアルキル基；炭素原子数１ないし１８のアルコキシ基、炭素原子数１ないし１８のアルキルチオ基、炭素原子数１ないし４のアルキルアミノ基、ジ（炭素原子数１ないし４のアルキル）アミノ基、炭素原子数１ないし２５のアルカノイルオキシ基、炭素原子数１ないし２５のアルカノイルアミノ基；酸素原子、イオウ原子または＞Ｎ−Ｒ8により中断された炭素原子
数３ないし２５のアルカノイルオキシ基；炭素原子数６ないし９のシクロアルキルカルボニルオキシ基、ベンゾイルオキシ基または炭素原子数１ないし１２のアルキル−置換ベンゾイルオキシ基を表わすか、または更に基Ｒ2およびＲ3もしくは基Ｒ3およびＲ'4もしく
は基Ｒ'4およびＲ5は、それらが結合している炭素原子と一緒になって、ベンゾ環を形成
し、Ｒ'4は付加的に−（ＣＨ2）p−ＣＯＲ9または−（ＣＨ2）qＯＨを表わすか、または
Ｒ3およびＲ5は水素原子を表わす場合、Ｒ'4は付加的に次式ＶＩ
【化１３】
2002518493.tif 000013
（式中、Ｒ1は、ｎが１である場合について上記に定義された通りである。）で表される
基を表わす。〕で表される化合物を触媒の存在下で一酸化炭素と反応させることからなる方法。
【請求項２】
次式Ｉ
【化１４】
2002518493.tif 000014
（式中、一般記号は請求項１に定義された通りである。）で表される化合物の製造方法であって、次式ＶＩＩ
【化１５】
2002518493.tif 000015
〔式中、Ｒ1およびｎは請求項１に定義された通りであり、
Ｒ2、Ｒ3、Ｒ4"およびＲ5は、それぞれ互いに独立して水素原子、フッ素原子、ヒドロキ
シ基、炭素原子数１ないし２５のアルキル基、炭素原子数７ないし９のフェニルアルキル基、未置換の、もしくは炭素原子数１ないし４のアルキル−置換フェニル基、未置換の、もしくは炭素原子数１ないし４のアルキル−置換炭素原子数５ないし８のシクロアルキル基；炭素原子数１ないし１８のアルコキシ基、炭素原子数１ないし１８のアルキルチオ基、炭素原子数１ないし４のアルキルアミノ基、ジ（炭素原子数１ないし４のアルキル）アミノ基、炭素原子数１ないし２５のアルカノイルオキシ基、炭素原子数１ないし２５のアルカノイルアミノ基；酸素原子、イオウ原子または＞Ｎ−Ｒ8により中断された炭素原子
数３ないし２５のアルカノイルオキシ基；炭素原子数６ないし９のシクロアルキルカルボニルオキシ基、ベンゾイルオキシ基または炭素原子数１ないし１２のアルキル−置換ベンゾイルオキシ基を表わすか、または更に基Ｒ2およびＲ3もしくは基Ｒ3およびＲ"4もしく
は基Ｒ"4およびＲ5は、それらが結合している炭素原子と一緒になってベンゾ環を形成し
、Ｒ"4は付加的に−（ＣＨ2）p−ＣＯＲ9または−（ＣＨ2）qＯＨを表わすか、またはＲ3およびＲ5は水素原子を表わす場合、Ｒ"4は付加的に次式ＶＩＩＩ
【化１６】
2002518493.tif 000016
（式中、Ｒ1は、ｎが１である場合について請求項１に定義された通りであり、Ｒ2、Ｒ10およびＲ11は請求項１に定義された通りである。）で表される基を表わし、
Ｒ50は−ＯＲ51、−ＳＲ52、
【化１７】
2002518493.tif 000017
を表わし、
Ｒ51は炭素原子数１ないし２５のアルキル基；酸素原子またはイオウ原子により中断された炭素原子数２ないし２５のアルキル基；炭素原子数７ないし９のフェニルアルキル基、未置換の、もしくは炭素原子数１ないし４のアルキル−置換炭素原子数５ないし８のシクロアルキル基；未置換の、もしくは炭素原子数１ないし４のアルキル置換フェニル基を表わし、
Ｒ52は炭素原子数１ないし２５のアルキル基；酸素原子またはイオウ原子により中断された炭素原子数２ないし２５のアルキル基；炭素原子数７ないし９のフェニルアルキル基、未置換の、もしくは炭素原子数１ないし４のアルキル−置換炭素原子数５ないし８のシクロアルキル基；未置換の、もしくは炭素原子数１ないし４のアルキル置換フェニル基を表わし、
Ｒ53およびＲ54は、それぞれ互いに独立して水素原子、炭素原子数１ないし２５のアルキル基；酸素原子またはイオウ原子により中断された炭素原子数２ないし２５のアルキル基；炭素原子数７ないし９のフェニルアルキル基、未置換の、もしくは炭素原子数１ないし４のアルキル−置換炭素原子数５ないし８のシクロアルキル基；またはデンドリマー性、オリゴマー性もしくはポリマー性の炭素原子数４ないし１００の炭化水素基を表わし、
Ｒ55は炭素原子数１ないし２５のアルキル基；酸素原子またはイオウ原子により中断された炭素原子数２ないし２５のアルキル基；炭素原子数７ないし９のフェニルアルキル基、未置換の、もしくは炭素原子数１ないし４のアルキル−置換炭素原子数５ないし８のシクロアルキル基；未置換の、もしくは炭素原子数１ないし４のアルキル置換フェニル基；または次式ＩＸ
【化１８】
2002518493.tif 000018
（式中、Ｒ1およびｎは、請求項１に定義された通りである。）で表わされる基を表わし
、
Ｒ56は未置換の、もしくは炭素原子数１ないし４のアルキル−置換炭素原子数２ないし１２のアルキレン基を表わす。〕で表わされる化合物を熱的に、もしくは光を使用して転化して次式Ｖ
【化１９】
2002518493.tif 000019
（式中、一般記号は請求項１に定義された通りである。）で表される化合物を形成すること、次いで単離されることなく該化合物を触媒の存在下で一酸化炭素と反応させることからなる方法。
【請求項３】
次式Ｖ
【化２０】
2002518493.tif 000020
〔式中、ｎが１である場合、Ｒ1は、ナフチル基、フェナントリル基、アントリル基、５
，６，７，８−テトラヒドロ−２−ナフチル基、チエニル基、ベンゾ［ｂ］チエニル基、ナフト［２，３−ｂ］チエニル基、チアントレニル基、フリル基、ベンゾフリル基、イソベンゾフリル基、ジベンゾフリル基、キサントエニル基、フェノキサチイニル基、ピロリル基、イミダゾリル基、ピラゾリル基、ピラジニル基、ピリミジニル基、ピリダジニル基、インドリジニル基、イソインドリル基、インドリル基、インダゾリル基、プリニル基、キノリジニル基、イソキノリル基、キノリル基、フタラジニル基、ナフチリジニル基、キノキサリニル基、キナゾリニル基、シンノリニル基、プテリジニル基、カルバゾリル基、β−カルボリニル基、フェナントリジニル基、アクリジニル基、ペリミジニル基、フェナントロリニル基、フェナジニル基、イソチアゾリル基、フェノチアジニル基、イソクサゾリル基、フラザニル基、ビフェニル基、ターフェニル基、フルオレニル基またはフェノキサジニル基であって、それぞれ未置換であるか、またはフッ素原子、ヒドロキシ基、炭素原子数１ないし１８のアルキル基、炭素原子数１ないし１８のアルコキシ基、炭素原子数１ないし１８のアルキルチオ基、ジ（炭素原子数１ないし４のアルキル）アミノ基、フェニル基、ベンジル基、ベンゾイル基もしくはベンゾイルオキシ基により置換されたものを表わすか、またはＲ1は次式ＩＩまたはＩＩＩ
【化２１】
2002518493.tif 000021
で表される基を表わし、
ｎが２である場合、Ｒ1は、それぞれ未置換であるか、または炭素原子数１ないし４のア
ルキル基もしくはフッ素原子により置換されたフェニレン基またはナフチレン基を表わすか、あるいは−Ｒ6−Ｘ−Ｒ7−を表わし、
Ｒ2、Ｒ3、Ｒ'4およびＲ5は、それぞれ互いに独立して水素原子、フッ素原子、ヒドロキ
シ基、炭素原子数１ないし２５のアルキル基、炭素原子数７ないし９のフェニルアルキル基、未置換の、もしくは炭素原子数１ないし４のアルキル−置換フェニル基、未置換の、もしくは炭素原子数１ないし４のアルキル−置換炭素原子数５ないし８のシクロアルキル基；炭素原子数１ないし１８のアルコキシ基、炭素原子数１ないし１８のアルキルチオ基、炭素原子数１ないし４のアルキルアミノ基、ジ（炭素原子数１ないし４のアルキル）アミノ基、炭素原子数１ないし２５のアルカノイルオキシ基、炭素原子数１ないし２５のアルカノイルアミノ基；酸素原子、イオウ原子、または＞Ｎ−Ｒ8により中断された炭素原
子数３ないし２５のアルカノイルオキシ基；炭素原子数６ないし９のシクロアルキルカルボニルオキシ基、ベンゾイルオキシ基もしくは炭素原子数１ないし１２のアルキル−置換ベンゾイルオキシ基を表わすか、または更に、基Ｒ2およびＲ3もしくは基Ｒ3およびＲ'4
もしくは基Ｒ'4およびＲ5は、それらが結合している炭素原子と一緒になって、ベンゾ環
を形成し、Ｒ'4は付加的に−（ＣＨ2）p−ＣＯＲ9または−（ＣＨ2）qＯＨを表わすか、
またはＲ3およびＲ5は水素原子を表わす場合、Ｒ'4は付加的に次式ＶＩ
【化２２】
2002518493.tif 000022
（式中、Ｒ1は、ｎが１である場合について上記に定義された通りである。）で表される
基を表わし、
Ｒ6およびＲ7は、それぞれ互いに独立して、それぞれ未置換であるか、または炭素原子数１ないし４のアルキル基により置換されたフェニレン基またはナフチレン基を表わし、
Ｒ8は、炭素原子数１ないし８のアルキル基を表し、
Ｒ9はヒドロキシ基、
【化２３】
2002518493.tif 000023
炭素原子数１ないし１８のアルコキシ基または
【化２４】
2002518493.tif 000024
を表し、
Ｒ10およびＲ11は、それぞれ互いに独立して、水素原子、ＣＦ3、炭素原子数１ないし１
２のアルキル基またはフェニル基を表わすか、あるいはＲ10およびＲ11は、それらが結合している炭素原子と一緒になって、未置換の、もしくは炭素原子数１ないし４のアルキル基１ないし３個により置換された炭素原子数５ないし８のシクロアルキリデン環を形成し；
Ｒ12およびＲ13は、それぞれ互いに独立して水素原子または炭素原子数１ないし１８のアルキル基を表し、
Ｒ14は水素原子または炭素原子数１ないし１８のアルキル基を表わし、
Ｒ19、Ｒ20、Ｒ21、Ｒ22およびＲ23は、それぞれ互いに独立して水素原子、フッ素原子、ヒドロキシ基、炭素原子数１ないし２５のアルキル基；酸素原子、イオウ原子または＞Ｎ−Ｒ8により中断された炭素原子数２ないし２５のアルキル基；炭素原子数１ないし２５
のアルコキシ基；酸素原子、イオウ原子または＞Ｎ−Ｒ8により中断された炭素原子数２
ないし２５のアルコキシ基；炭素原子数１ないし２５のアルキルチオ基、炭素原子数７ないし９のフェニルアルキル基、炭素原子数７ないし９のフェニルアルコキシ基、未置換の、もしくは炭素原子数１ないし４のアルキル−置換フェニル基；未置換の、もしくは炭素原子数１ないし４のアルキル−置換フェノキシ基；未置換の、もしくは炭素原子数１ないし４のアルキル−置換炭素原子数５ないし８のシクロアルキル基；未置換の、もしくは炭素原子数１ないし４のアルキル−置換炭素原子数５ないし８のシクロアルコキシ基；ジ（炭素原子数１ないし４のアルキル）アミノ基、炭素原子数１ないし２５のアルカノイル基；酸素原子、イオウ原子または＞Ｎ−Ｒ8により中断された炭素原子数３ないし２５のア
ルカノイル基；炭素原子数１ないし２５のアルカノイルオキシ基；酸素原子、イオウ原子または＞Ｎ−Ｒ8により中断された炭素原子数３ないし２５のアルカノイルオキシ基；炭
素原子数１ないし２５のアルカノイルアミノ基、炭素原子数６ないし９のシクロアルキルカルボニル基、炭素原子数６ないし９のシクロアルキルカルボニルオキシ基、ベンゾイル基または炭素原子数１ないし１２のアルキル−置換ベンゾイル基；ベンゾイルオキシ基または炭素原子数１ないし１２のアルキル−置換ベンゾイルオキシ基；
【化２５】
2002518493.tif 000025
を表わし、
Ｒ24は、水素原子、炭素原子数１ないし４のアルキル基、または未置換の、もしくは炭素原子数１ないし４のアルキル−置換フェニル基を表し、
Ｒ25およびＲ26は、水素原子、炭素原子数１ないし４のアルキル基またはフェニル基を表わすが、ただし基Ｒ25およびＲ26の少なくとも一方は水素原子を表わし、
Ｒ27およびＲ28は、それぞれ互いに独立して、水素原子、炭素原子数１ないし４のアルキル基またはフェニル基を表わし、
Ｒ29は水素原子または炭素原子数１ないし４のアルキル基を表わし、
Ｒ30は水素原子、未置換の、もしくは炭素原子数１ないし４のアルキル−置換フェニル基；炭素原子数１ないし２５のアルキル基；酸素原子、イオウ原子または＞Ｎ−Ｒ8により
中断された炭素原子数２ないし２５のアルキル基；未置換の、もしくはフェニル基において炭素原子数１ないし４のアルキル基１ないし３個により置換された炭素原子数７ないし９のフェニルアルキル基；酸素原子、イオウ原子または＞Ｎ−Ｒ8により中断され、未置
換の、もしくはフェニル基において炭素原子数１ないし４のアルキル基１ないし３個により置換された炭素原子数７ないし２５のフェニルアルキル基を表わし、
Ｒ31は水素原子または炭素原子数１ないし４のアルキル基を表わし、
Ｒ32は水素原子、炭素原子数１ないし２５のアルカノイル基；酸素原子、イオウ原子または＞Ｎ−Ｒ8により中断された炭素原子数３ないし２５のアルカノイル基；ジ（炭素原子
数１ないし６のアルキル）ホスホネート基により置換された炭素原子数２ないし２５のアルカノイル基；炭素原子数６ないし９のシクロアルキルカルボニル基、テノイル基、フロイル基、ベンゾイル基もしくは炭素原子数１ないし１２のアルキル−置換ベンゾイル基；
【化２６】
2002518493.tif 000026
を表わし、
Ｒ33は水素原子または炭素原子数１ないし８のアルキル基を表わし；
Ｒ34は直接結合、炭素原子数１ないし１８のアルキレン基；酸素原子、イオウ原子または＞Ｎ−Ｒ8により中断された炭素原子数２ないし１８のアルキレン基；炭素原子数２ない
し２０のアルキリデン基、炭素原子数７ないし２０のフェニルアルキリデン基、炭素原子数５ないし８のシクロアルキレン基、炭素原子数７ないし８のビシクロアルキレン基、未置換の、もしくは炭素原子数１ないし４のアルキル−置換フェニレン基、
【化２７】
2002518493.tif 000027
を表わし、
Ｒ35は水素原子、
【化２８】
2002518493.tif 000028
炭素原子数１ないし１８のアルコキシ基または
【化２９】
2002518493.tif 000029
を表わし、
Ｒ36は酸素原子、−ＮＨ−または
【化３０】
2002518493.tif 000030
を表わし、
Ｒ37は炭素原子数１ないし１８のアルキル基またはフェニル基を表わし、
Ｍはｒ価の金属カチオンを表わし、
Ｘは直接結合、酸素原子、イオウ原子または−ＮＲ14−を表わし、
ｎは１または２であり、
ｐは０、１または２であり、
ｑは１、２、３、４、５または６であり、
ｒは１、２または３であり、そして
ｓは０、１または２であるが、
ただし、Ｒ2およびＲ'4が水素原子、メチル基または第三ブチル基である場合、またはＲ3およびＲ'4が、それらが結合している炭素原子と一緒になってベンゾ環を形成する場合、基Ｒ19、Ｒ20、Ｒ21、Ｒ22およびＲ23の少なくとも１個が水素原子以外を表わし、そしてＲ1は未置換のナフチル基を表さず；Ｒ19およびＲ23はヒドロキシ基以外を表わし；また
、Ｒ2およびＲ'4が水素原子、炭素原子数１ないし４のアルキル基またはメトキシ基を表
わす場合、Ｒ20、Ｒ21およびＲ22はメトキシ基以外を表わす。〕で表される化合物。